(57)【要約】【課題】検査終了時点でその場で簡便に内視鏡内部からの排水を行うことができるようにしながらも、カップホルダが内視鏡検査時に何ら邪魔になることがないようにした内視鏡カートを提供することを目的とする。【解決手段】内視鏡カート１１は、キャスター２１が取り付けられた内視鏡カート１１の床面近傍のフレーム台座部２２に設けられ、内視鏡１１の使用後に内視鏡内部から排出される液体を流し込む紙カップ３１を保持するカップホルダ３０と、カップホルダ３０を床面と略平行に突出させ液体を溜める姿勢で紙カップ３１を保持するセット位置とフレーム台座部２２に沿って畳まれる格納位置との間でカップホルダ３０を変位自在に支持するホルダ支持装置とを備えていることを特徴とする。【選択図】図１
2009297312.tif 000002
【特許請求の範囲】
【請求項１】
搬送時に内視鏡を吊り下げ支持するハンガー、及び内視鏡の使用時にその電気的な作動を制御する内視鏡制御機が載置される棚板を備えるとともに、キャスターによって移動自在な内視鏡カートにおいて、
前記キャスターが取り付けられた床面近傍のフレーム部材に設けられ、内視鏡の使用後に内視鏡内部から排出される液体を流し込むカップを保持するカップホルダと、
液体を溜める姿勢で前記カップを保持するセット位置と、前記フレーム部材に沿って畳まれる格納位置との間で、前記カップホルダを変位自在に支持するホルダ支持装置と、
を備えたことを特徴とする内視鏡カート。
【請求項２】
内視鏡の使用終了操作に応答し、前記ホルダ支持装置が前記カップホルダを前記格納位置からセット位置に自動的に変位させることを特徴とする請求項１記載の内視鏡カート。
【請求項３】
前記カップホルダのセット位置への変位に応答し、カップホルダにカップを自動的セットするカップディスペンサを備えたことを特徴とする請求項２記載の内視鏡カート。
【請求項４】
前記セット位置にあるカップホルダからカップが取り除かれたことに応答し、前記ホルダ支持装置はカップホルダをセット位置から前記格納位置に自動的に変位させることを特徴とする請求項３記載の内視鏡カート。
【発明の詳細な説明】
【技術分野】
【０００１】
本発明は、内視鏡及び内視鏡の使用時にその電気的な制御を行うために必要な内視鏡制御機などを処置室まで搬送し、また処置室内で移動させることができるようにした内視鏡カートに関するものである。
【背景技術】
【０００２】
近年、医療現場において、超音波プローブやカメラ等が設けられた内視鏡を用いて、人体内部の状態を観察する内視鏡検査が行われている。この内視鏡検査によれば、体腔内にカメラ等を挿入して直接胃や大腸などの体腔内壁の状態を確認することができ、例えば体腔内壁にできた腫瘍や潰瘍がどの程度の範囲にまで及んでいるか、また様々な症状がどの程度まで進行しているかなどを目視観察することができる。
【０００３】
内視鏡は、その先端に組み込まれたカメラを作動させ、また得られた画像をモニタ表示するために必要な内視鏡制御機や、内視鏡のライトガイドを通して体腔内部に照明光を与える光源装置、体腔内部に洗浄水などを供給する輸液装置などの機器とともに用いられる。このため特許文献１，２などで知られるように、上記各機器を載置する棚板と使用前の内視鏡を吊り下げ支持するハンガー、さらにはモニタや付属品などの載置台を備えたキャスター付きの内視鏡カートが利用され、内視鏡検査を行う処置室までの搬送や処置室内での移動にも用いられている。
【特許文献１】特開２００４−２２３１５６号公報
【特許文献２】特開２００３−２９０１２４号公報
【０００４】
内視鏡の挿入部は体腔内に挿入して使用されるため、先端部に設けられたカメラの観察窓が使用中に汚れ、ＣＣＤやＭＯＳ型のイメージセンサでの撮影に支障をきたすことがある。このため、内視鏡の先端部には観察窓に向けて洗浄水を吐出するノズルが設けられ、輸液装置からの給水により観察窓を洗浄することができるようになっている。また体腔内に吐出された余剰な洗浄水ならびに撮影に支障をきたす体腔内の粘液、汚物等は内視鏡の鉗子チャンネルを通じて外部に吸引される。使用済みの内視鏡を洗浄処理装置で洗浄・消毒処理する前に、内視鏡内部の送気送水管路から洗浄水、鉗子チャンネルから汚水を排出しておく必要がある。
【０００５】
使用済みの内視鏡を洗浄処理装置に搬送する過程で、内視鏡内部から洗浄水・汚水が周囲に流れ出すことがないように、使用済み内視鏡からの排水操作は一般に処置室内で行われることが多い。このため内視鏡カートの下部フレームにはカップホルダが設けられ、紙カップがセットできるようにしてある。そして、内視鏡検査を終了した時点で、術者が紙カップの上で内視鏡先端が下向きになるように内視鏡操作部を持ち上げて水抜き操作を行えば、その場で内視鏡内部からの水をカップに溜めることができ、処置室の床を汚さずに済むようになる。
【発明の開示】
【発明が解決しようとする課題】
【０００６】
上記の水抜き処理を簡便に行うことができるように、カップホルダは内視鏡カートの最下部手前側に設けられている。このため、内視鏡検査中に術者が移動するときにカップホルダに足を引っ掛け、またコードやチューブ類が絡まって内視鏡カートを思うように移動することができないなどの不都合が生じ、内視鏡検査に支障をきたすことがあった。
【０００７】
本発明は、上記事情を考慮してなされたもので、検査終了時点でその場で簡便に内視鏡内部からの排水を行うことができるようにしながらも、カップホルダが内視鏡検査時に何ら邪魔になることがないようにした内視鏡カートを提供することを目的とする。
【課題を解決するための手段】
【０００８】
上記目的を達成するにあたり、本発明の内視鏡カートは、キャスターが取り付けられた内視鏡カートの床面近傍のフレーム部材に設けられ、内視鏡の使用後に内視鏡内部から排出される液体を流し込むカップを保持するカップホルダと、前記カップホルダを床面と略平行に突出させ液体を溜める姿勢で前記カップを保持するセット位置と前記フレーム部材に沿って畳まれる格納位置との間で前記カップホルダを変位自在に支持するホルダ支持装置とを備えていることを特徴とする。
【０００９】
また、上記ホルダ支持装置に、内視鏡の使用終了操作に応答して前記カップホルダを前記格納位置からセット位置に自動的に変位させる機能をもたせ、さらには前記カップホルダのセット位置への変位に応答し、カップホルダにカップを自動的セットするカップディスペンサを設けることも効果的である。また、前記セット位置にあるカップホルダからカップが取り除かれたことに応答し、前記ホルダ支持装置によりカップホルダをセット位置から前記格納位置に自動的に変位させることも有効である。
【発明の効果】
【００１０】
本発明によれば、内視鏡内部からの簡便な水抜きを可能としながらも、カップホルダに邪魔されることなく内視鏡検査を行うことができるようになる。
【発明を実施するための最良の形態】
【００１１】
図１に示すように、内視鏡検査システム１０は、体腔内を撮影する内視鏡１１、主として内視鏡の電気的な作動を制御する内視鏡制御機として機能する内視鏡用プロセッサユニット１２、内視鏡先端部を洗浄するための洗浄水を送る輸液装置１４、体腔内を照明するための照明光を供給する光源装置１５、撮影した画像を表示するモニタ１６、これらの各部が組み付けられる内視鏡カート２０とで構成されている。体腔内を撮影するＣＣＤや照明窓が設けられた先端部１１ａは体腔内に挿入して使用されるため、先端部に設けられた観察窓が使用中に汚れ、ＣＣＤによる画像が見え難くなってしまうことがある。そのため、先端部にはこれを洗浄する洗浄水が噴き出される噴射口が設けられ、輸液装置に備えられた洗浄水タンクから洗浄水が送水されて噴射口から噴射される。
【００１２】
内視鏡カート２０は、キャスター２１が設けられたフレーム台座部（フレーム部材）２２と、フレーム台座部２２に立設した３枚のフレーム側壁２３および２本のフレーム支柱２４と、トップトレイ２５と、フレーム台座部２２とトップトレイ２５の間に設けられた２枚の棚板２６とによって、前方に複数の開口を有する箱型形状となっている。フレーム台座部２２の右手外側の側面には、カップホルダ３０が設けられている。また、カップホルダ３０の上方のフレーム側壁２３には、カップホルダ３０に紙カップ３１を供給するカップディスペンサ３２が取り付けられている。
【００１３】
図２に示すように、使用状態におけるカップホルダ３０は、紙カップ３１がセットされるカップセット穴３３が設けられたホルダ部３４がフレーム台座部２２から水平に位置決めされる。ホルダ部３４はフレーム台座部２２に設けられた支持枠２９に軸支された回動中心部３０ａに設けられたギヤ部３０ｂがステッピングモータ３６のギヤヘッド３６ａと噛合し、ステッピングモータ３６によって回動される。支持枠２９とステッピングモータ３６によってホルダ支持装置３５が構成される。図１に示したカップディスペンサ３２は、ホルダ部３４がセットされているときに反射型フォトセンサ３８（図３参照）が紙カップ３１を検知しなかった場合は、内部に収容した紙カップ３１を１つだけホルダ部３４に供給する。
【００１４】
図３に示すように、前記ホルダ部３４が設けられた下方のフレーム台座部２２には、紙カップ３１がセットされているか否かを検知する反射型フォトセンサ３８が設けられている。紙カップ３１がセットされていないときは、ステッピングモータ３６によってホルダ部３４が上方に回動され、ホルダ部３４は垂直になってフレーム台座部２２の外側側面よりはみ出さない位置に収容される。
【００１５】
次に、前述の実施形態における内視鏡カート２０の特徴的作用について説明する。前記内視鏡検査システム１０を使用しているときは、前記内視鏡カート２０に設けられたカップホルダ３０は、前記フレーム側壁２３に平行に近接配置されカップセット穴３３が垂直になった位置（格納位置）に位置決め停止されており、検査員の足元で邪魔になることがない状態となっている。内視鏡検査システム１０による体腔内検査が終了すると前記汚水処理スイッチ４０がオンされ、ホルダ支持装置３５のステッピングモータ３６が駆動する。カップホルダ３０のホルダ部３４が前記格納位置からカップセット穴３３が水平となるセット位置まで回動して停止する。ホルダ部３４の回動が停止すると、カップディスペンサ３２によって紙カップ３１が１つだけ前記ホルダ部３４のカップセット穴３３にセットされる。
【００１６】
紙カップ３１が準備されると、内視鏡１１の先端部１１ａが紙カップ３１に差し込まれ、内視鏡１１内部の給水路中に残った洗浄水が紙カップ３１に排出される。洗浄水を排出した内視鏡１１は、前記内視鏡用プロセッサユニット１２や輸液装置１４、光源装置１５などとの接続が解除され、洗浄処理装置に運ばれて洗浄・消毒処理される。一方、洗浄水が排出された紙カップ３１はカップホルダ３０から外され、所定の場所に廃却される。紙カップ３１が前記ホルダ部３４から取り除かれると、前記反射型フォトセンサ３８はこれを検知する。紙カップ３１がホルダ部３４から取り除かれたことが検知されると、前記ステッピングモータ３６は先ほどとは逆に回転しホルダ部３４が前記格納位置までくると停止する。このように、ホルダ部３４は洗浄水の排出・除去作業の時のみフレーム台座部２２より突出し、検査時や内視鏡カート２０の運搬時にはフレーム台座部２２より突出しない。汚水処理スイッチ４０は、ホルダ部３４がセット位置にセットされた後に格納位置に戻された場合、所定の作業が終了したものと判断してオフとなる。
【００１７】
前記汚水処理スイッチ４０は、必ずしも設けなければならないものではなく、汚水処理スイッチ４０をオンする代わりに、例えば、前記内視鏡用プロセッサユニット１２の検査ボタンのオフまたは終了ボタンのオンによって、カップホルダ３０やカップディスペンサ３２および反射型フォトセンサ３８が作動するようにしても良く、あるいは、電源スイッチのオフで行っても良く、内視鏡検査の終了にともなって行われる操作であれば、前記汚水処理スイッチ４０のオンに代えることができる。
【００１８】
次に、別の実施形態について説明する。図４に示すように、内視鏡カート５０にはカップホルダ５３が設けられている。内視鏡カート５０及びカップホルダ５３以外の各部材の名称及び記号は図１に示されたものと同じものを用いる。カップホルダ５３は、図５（ａ）〜（ｃ）に示すように、カップホルダ５３と、支持部材５４とカバー部材５５とからなるホルダ支持装置５１とによって構成される。カップホルダ５３は細い丸棒を加工して形成されたもので、両端末が回動中心となる回動軸５３ａを形成している。一端側が回動軸５３ａと直角に接続されたアーム部５３ｂの他端側には、紙カップをセットするホルダ部５３ｃが形成されている。支持部材５４は、前記回動軸５３ａが挿通される一対の軸孔５４ａを有するコ字状に形成された支持部５４ｂとフレーム台座部２２に設けられた取付凸部（図示せず）に固定する固定用ネジを挿通させる孔５４ｃが設けられた取付部５４ｄとがＬ字形に形成されている。カバー部材５５は、全体がＬ字形に形成され、１面が固定のための前記固定用ネジを挿通させる孔５５ｃが設けられた取付部５５ｄとなっている。Ｌ字形の折曲げ部分の中央には２面に亘って開口５５ａが設けられ、開口５５ａの向かい合うＬ字形の側面５５ｂの両端には凹部５５ｅが形成されている。
【００１９】
カップホルダ５３は一対の回動軸５３ａの間隔が狭くなるように変形可能であり、変形させた後は弾性力によって復元する。前記一対の回動軸５３ａは間隔が狭くなるように変形されて前記開口５５ａに挿入された後に前記軸孔５４ａにそれぞれ内側より挿入される。前記固定用ネジが孔５５ｃと孔５４ｃとに挿通され、前記支持部材５４とカバー部材５５とが前記固定用ネジによって前記フレーム台座部２２に固定される。
【００２０】
フレーム台座部２２に固定されたカップホルダ５３のカップホルダ５３は、水平な位置（セット位置）と垂直な位置（格納位置）とに変位可能に取り付けられている。カップホルダ５３の一対のアーム部５３ｂは、間隔が広がる方向に弾性力を保有し、その力によってアーム部５３ｂの外側部分が前記側面５５ｂと摺接しながら前記セット位置と格納位置との間を回動する。前記側面５５ｂのセット位置と格納位置には前記凹部５５ｅが形成されており、それぞれの位置ではアーム部５３ｂが係合して位置決めされ、それぞれの位置で保持される。このように構成されたカップホルダ５３は、紙カップをセットするときのみ格納位置から傾倒して水平にして使用し、紙カップを除去した後は直ちに格納位置に戻すことが可能である。
【００２１】
前記実施形態では、カップホルダ３０，５３をフレーム台座部２２に設けたが、カップホルダを設置する場所は、フレーム台座部２２に限定されるものではなく、内視鏡カートの下部であればいずれの部材であっても良い。
【図面の簡単な説明】
【００２２】
【図１】内視鏡検査システムの構成を概略的に示す斜視図である。
【図２】セット位置でのカップホルダの構成を示す斜視図である。
【図３】格納位置でのカップホルダの構成を示す斜視図である。
【図４】別の内視鏡検査システムの構成を概略的に示す斜視図である。
【図５】手動で折り畳むカップホルダの構成を示す分解斜視図である。
【符号の説明】
【００２３】
１０  内視鏡検査システム
１１  内視鏡
１２  内視鏡用プロセッサユニット（内視鏡制御機）
１４  輸液装置
１６  モニタ
２０，５０  内視鏡カート
２１  キャスター
２２  フレーム台座部
２３  フレーム側壁
２９，５１  ホルダ支持装置
３０，５３  カップホルダ
３１  紙カップ
３２  カップディスペンサ
３３  カップセット穴
３４  ホルダ部
３６  ステッピングモータ
３８  反射型フォトセンサ
４０  汚水処理スイッチ
５４  支持部材
５５  カバー部材
【図１】
2009297312.tif 000003
【図２】
2009297312.tif 000004
【図３】
2009297312.tif 000005
【図４】
2009297312.tif 000006
【図５】
2009297312.tif 000007